(57)【要約】【課題】簡易な構成によって、内容物の適量の吐出量に応じ、ポンプ機構の設定押圧ストローク長を容易に調整できるポンプ容器を提供する。【解決手段】ポンプヘッド１４を上下動させて作動するポンプ機構が容器本体１１の口頸部１１ａに設けられ、ポンプヘッド１４を押圧してノズル１３から内容物を吐出させるポンプ容器１０であって、ポンプヘッド１４の押圧により収縮変形して、ポンプヘッド１４を上方に押し戻す付勢力を生じる弾性部２０を備えており、且つポンプヘッドの押圧された位置から復元する高さを規制してポンプヘッド１４の設定押圧ストローク幅ｓを調整可能とするストローク調整手段２１が設けられている。ストローク調整手段２１は、螺旋状の蛇腹部材２２と、ポンプヘッド１４の周壁部２３の内周面の雌ネジとからなり、蛇腹部材２２に対する周壁部２３の螺合量を調整することにより、ポンプヘッド１４の設定押圧ストローク幅ｓを調整可能とする。【選択図】図１
2008265776.tif 000002
【特許請求の範囲】
【請求項１】
ノズルを有し上下動可能なポンプヘッドと、該ポンプヘッドの押圧によって内容物を前記ノズルから吐出させ、前記ポンプヘッドを押圧位置から復元させる弾性部を備えたポンプ機構とを有するポンプ容器であって、
前記ポンプヘッドの押圧された位置から復元する高さを、前記弾性部の弾性力に抗して制限するストローク調整手段を設け、前記ポンプヘッドの押圧による吐出量を調整可能とするポンプ容器。
【請求項２】
前記ストローク調整手段が、前記容器本体と前記ポンプヘッドとの間に設けられた螺旋状の蛇腹部材と、該蛇腹部材に螺合される雌ネジとからなり、前記蛇腹部材に対する前記雌ネジの螺合量を調整することにより、前記ポンプヘッドの押圧による吐出量を調整可能とする請求項１に記載のポンプ容器。
【請求項３】
前記蛇腹部材は、前記弾性部を兼ねる請求項２に記載のポンプ容器。
【発明の詳細な説明】
【技術分野】
【０００１】
本発明は、ポンプ容器に関し、特に、ノズルを有するポンプヘッドを上下動させることにより作動するポンプ機構が容器本体の口頸部に設けられ、ポンプヘッドを押圧して内容物を吐出させるポンプ容器に関する。
【背景技術】
【０００２】
例えばヘアシャンプー、ボディーソープ、ハンドソープ等の液状物を内容物として収容し、これらを適量づつ吐出させる容器として、例えばノズルを有するポンプヘッドを上下動させることにより作動するポンプ機構と、口頸部に装着されるキャップ部とからなるポンプキャップを容器本体の口頸部に取り付けたポンプ容器が知られている（例えば、特許文献１参照）。
【０００３】
このようなポンプ容器では、ポンプキャップのキャップ部を容器本体の口頸部に装着固定することにより、口頸部の先端開口を覆うキャップ部の天板部に形成された挿通孔からピストンを上方に突出させつつ、ポンプ機構のシリンダ部をキャップ部及び口頸部の内側からこれらの下方の容器本体の内部に配置するようになっている。また、例えばポンプヘッドを静止状態からこれ以上押し下げることができなくなるまでの下方への移動量を、一回の押圧操作によって押圧可能な最大のストローク幅である設定押圧ストローク長として、シリンダ部の内部やキャップ部の天板部に配置されたスプリング等の弾性部の付勢力に抗して、ピストンの上端部に取り付けたポンプヘッドを下方に押圧することにより、所望の量の内容物をポンプヘッドのノズルから吐出させるようになっている。
【特許文献１】特開平１０−９４７４４号公報
【発明の開示】
【発明が解決しようとする課題】
【０００４】
例えば内容物としてシャンプーを収容するポンプ容器の場合、設定押圧ストローク長による一回のポンプヘッドの押圧操作によって吐出される内容物の量を、例えば３ｍＬとしたポンプ容器が一般に用いられている。その一方で、実際に使用されるシャンプーの量は、男性や子供等にとっては多すぎる場合があり、このような場合には、ポンプヘッドの押圧操作を設定押圧ストローク長に達する途中で止めて、シャンプーの吐出量を調整しているのが現状である。また、例えば３ｍＬの整数倍に満たない量として、例えば４ｍＬの内容物を吐出する場合、一回の設定押圧ストローク長での押圧操作の後に、次の押圧操作では設定押圧ストローク長に達する途中でポンプヘッドを止めて、その吐出量を調整しているのが現状である。さらに、例えば内容物としてハンドソープを収容するポンプ容器の場合、吐出量を例えば１ｍＬ程度に設定する必要があり、１ｍＬの内容物を吐出可能な設定押圧ストローク長を有する専用のポンプ機構を備える、別のポンプキャップを用いているのが現状である。
【０００５】
これに対して、ポンプヘッドに対する一回の押圧操作によって押圧可能な最大のストローク幅である設定押圧ストローク長を調整可能とする手段として、キャップ部の天板部から上方に突出させてストッパーを設け、このストッパーに例えばポンプヘッドの周壁部の下端部を当接させることにより、設定押圧ストローク長を調整できるようにするものが考えられる。しかしながら、天板部にストッパーを設ける場合、１回の押圧操作によって吐出させるべき内容物の適量の吐出量に応じて、高さの異なる複数のストッパーをその都度天板部に取り付け直す必要を生じ、部品点数が多くなると共に、吐出量の調整も煩雑になる。また、ストッパーに高さを可変調整できる機構を設けることも考えられるが、その機構が複雑になると共に、容器全体のコストアップをもたらすことになる。
【０００６】
本発明は、簡易且つ安価な構成によって、内容物の適量の吐出量に応じて、ポンプ機構の設定押圧ストローク長を容易に調整することのできるポンプ容器を提供することを目的とする。
【課題を解決するための手段】
【０００７】
本発明は、ノズルを有し上下動可能なポンプヘッドと、該ポンプヘッドの押圧によって内容物を前記ノズルから吐出させ、前記ポンプヘッドを押圧位置から復元させる弾性部を備えたポンプ機構とを有するポンプ容器であって、前記ポンプヘッドの押圧された位置から復元する高さを、前記弾性部の弾性力に抗して制限するストローク調整手段を設け、前記ポンプヘッドの押圧による吐出量を調整可能とするポンプ容器を提供することにより、上記目的を達成したものである。
【発明の効果】
【０００８】
本発明のポンプ容器によれば、簡易且つ安価な構成によって、内容物の適量の吐出量に応じて、ポンプ機構の設定押圧ストローク長を容易に調整することができる。
【発明を実施するための最良の形態】
【０００９】
図１（ａ），（ｂ）に示す本発明の好ましい一実施形態に係るポンプ容器１０は、内容物として、例えば液状物であるハンドソープを収容するものであり、容器本体１１と、容器本体１１の口頸部１１ａに着脱可能に装着固定されるポンプキャップ１２とからなる。ポンプキャップ１２は、ノズル１３を有するポンプヘッド１４を上下動させることにより作動するポンプ機構と、容器本体１１の口頸部１１ａに装着されるキャップ部１５とからなる。また、ポンプキャップ１２は、容器本体１１の口頸部１１ａの先端開口を覆うキャップ部１５の天板部１６に設けられた、円環状凸壁１７によって囲まれる挿通孔１８からピストン１９を上方に突出させつつ、ポンプ機構のシリンダ部（図示せず。）をキャップ部１５及び口頸部１１ａの内側からこれらの下方の容器本体１１の内部に配置するようになっている。さらに、ポンプキャップ１２は、ピストン１９の上端部に取り付けたポンプヘッド１４を下方に押圧することにより、所望の量の内容物をポンプヘッド１４のノズル１３から吐出させるようになっている。これらの構成は、例えば特許文献１に記載の公知のポンプ容器と略同様である。
【００１０】
そして、本実施形態のポンプ容器１０は、図２にも示すように、簡易且つ安価な構成によって、内容物の適量の吐出量に応じて、一回の押圧操作によってポンプヘッド１４を押圧可能な最大のストローク幅である、ポンプ機構の設定押圧ストローク長ｓを容易に調整することができるようにするものであり、ノズル１３を有するポンプヘッド１４を上下動させることにより作動するポンプ機構が容器本体１１の口頸部１１ａに設けられ、ポンプヘッド１４を押圧してノズル１３から内容物を吐出させる容器であって、ポンプヘッド１４が押圧されて押し下げられた位置から復元させる弾性部を備えており、この弾性部が押圧状態から開放されてポンプヘッド１４の押圧された位置から復元する高さを、弾性部の弾性力に抗して制限するストローク調整手段２１が設けられている。即ち、ポンプ容器１０は、内容物を吐出させる際の押圧により収縮変形して、ポンプヘッド１４を上方に押し戻す付勢力を生じる弾性部を備えており、且つこの弾性部が収縮状態となる押圧状態から復元する高さに相当する、ポンプヘッド１４の設定押圧ストローク長ｓ（図２）を調整可能とするストローク調整手段２１が設けられている。このストローク調整手段２１によって、ポンプヘッド１４の押圧による内容物の吐出量が調整可能となっている。
【００１１】
また、本実施形態では、ストローク調整手段２１は、容器本体１１の口頸部１１ａの先端開口を覆う天板部１６とポンプヘッド１４との間に介在して設けられた螺旋状の蛇腹部材２２と、この蛇腹部材２２に螺合される、ポンプヘッド１４の周壁部２３の内周面の雌ネジとによって構成され、蛇腹部材２２に対する雌ネジの螺合量を調整することにより、ポンプヘッド１４の設定押圧ストローク長ｓを調整して、ポンプヘッド１４の押圧による内容物の吐出量を調整可能となっている。
【００１２】
さらに、本実施形態では、蛇腹部材２２は、内容物を吐出させる際のポンプヘッド１４の押圧により収縮変形して、ポンプヘッド１４を上方に押し戻す付勢力を生じる弾性部２０を兼ねるようになっている。
【００１３】
本実施形態では、ポンプヘッド１４は、平面視略円形の天面部１４ａの周縁部分から下方に向けて円筒状に延設する周壁部２３を備えており、この周壁部２３の内周面には、蛇腹部材２２の螺旋状の突条と同じピッチで形成された螺旋溝が設けられている。この螺旋溝によって、蛇腹部材２２に螺合される雌ネジが構成される。また、天面部１４ａの下面部から下方に延設して、周壁部２３の内側には、これと同心状に配置された縦方向管路２５が設けられている。この縦方向管路２５は、その下端部分が、キャップ部１５の天板部１６から上方に突出するポンプ機構のピストン１９の上端部に装着されて、ピストン１９の内部の管路と連通すると共に、その上端部分において、周壁部２３を貫通して横方向に延設する横方向管路２６と連通し、ポンプヘッド１４の押圧操作によってポンプ機構から送られる内溶液を、横方向管路２６の先端に設けたノズル１３に供給して、当該ノズル１３から吐出させる。
【００１４】
蛇腹部材２２は、円環帯板形状の基板部２７と、この基板部２７の上面から上方に向けて突条を螺旋状に積層状態で連接配置した雄ネジ状の蛇腹部２８とからなる。また蛇腹部材２２は、上下に螺旋状に積層配置した突条によって、軸方向Ｘに押圧力を受けて収縮変形すると共に伸長する方向の付勢力を生じる、弾性部２０として機能する。蛇腹部材２２は、その基板部２７を、キャップ部１５の天板部１６の挿通孔１８を囲う円環状凸壁１７の上面に載置して接合すると共に、中空内部の中央を軸方向Ｘに貫通させてピストン１９及び縦方向管路２５を配設した状態で、天板部１６から立設して設けられる。さらに、蛇腹部材２２の雄ネジ状の蛇腹部２８の上端部から中央部に亘る部分には、その螺合量を調整しつつ、ポンプヘッド１４の周壁部２３が内周面の雌ネジを介して螺合装着され、ポンプヘッド１４の押圧操作によって、例えば周壁部２３の下端と基板部２７との間の蛇腹部２８を、軸方向Ｘに伸縮させることができるようになっている。
【００１５】
そして、上述の構成を備える本実施形態のポンプ容器１０によれば、天板部１６とポンプヘッド１４との間に設けた蛇腹部材２２とポンプヘッド１４の周壁部２３の内周面の雌ネジとによるストローク調整手段２１を設けただけの簡易且つ安価な構成によって、内容物の適量の吐出量に応じて、ポンプヘッド１４の押圧された位置から復元する高さであるポンプ機構の設定押圧ストローク長ｓを容易に調整することが可能になる。
【００１６】
すなわち、本実施形態によれば、例えば図１（ａ），（ｂ）に示すように、ポンプヘッド１４の周壁部２３を蛇腹部２８の上端部のみに螺合して、設定押圧ストローク長ｓを大きく確保することにより、例えば１回の吐出操作で２．５ｍＬの内容物を吐出可能な状態とし、ポンプヘッド１４を回転させ、図３（ａ），（ｂ）に示すように、周壁部２３を蛇腹部２８の中央の部分まで螺合して、設定押圧ストローク長ｓを小さくすることにより、例えば１回の吐出操作で１．０ｍＬの内容物を吐出できる状態とすることが可能になる。このように、雄ネジ状の蛇腹部２８に対するポンプヘッド１４の周壁部２３の螺合量を調整することにより、内容物の適量の吐出量に応じて、ポンプ機構の設定押圧ストローク長ｓを容易に調整することが可能になり、一回の押圧操作によって、所望の量の内容物を定量的にポンプヘッド１４のノズル１３から吐出させることが可能になる。
【００１７】
また、本実施形態によれば、蛇腹部材２２は、内容物を吐出させる際のポンプヘッド１４の押圧により収縮変形して、ポンプヘッド１４を上方に押し戻す付勢力を生じる弾性部２０を兼ねているので、例えばポンプ機構に設けられるバネ部材等による弾性部を省略可能として、部品点数を減らすことが可能になる。
【００１８】
図４（ａ），（ｂ）は、本発明の他の実施形態に係るポンプ容器３０の要部を示すものである。図４（ａ），（ｂ）に示すポンプ容器３０では、ポンプヘッドの押圧された位置から復元する高さを規制してポンプヘッド１４の設定押圧ストローク長ｓを調整可能とするストローク調整手段２１は、ノズル１３とは反対側に向けてポンプヘッド１４から横方向に突出して設けられた上方ゴム係り部３１と、上方ゴム係り部３１の直下部分でこれと略平行に配置されて円環状凸壁１７から横方向に突出して設けられた下方ゴム係り部３２と、上方ゴム係り部３１と下方ゴム係り部３２との間に跨って係止される輪ゴム部材３３とからなる。そして、輪ゴム部材３３の長さを調整することにより、弾性部の収縮状態からの上方への伸長量が所望の伸長量となるように規制して、設定押圧ストローク長ｓを容易に調整できるようになっている。なお、図４（ａ），（ｂ）に示すポンプ容器３０では、内容物を吐出させる際の押圧により収縮変形して、ポンプヘッド１４を上方に押し戻す付勢力を生じる弾性部は、ポンプ機構のシリンダ部の内部に配設さらたスプリング等によって構成されている。また、弾性部の弾性力よりも輪ゴム部材３３の弾性力が小さい範囲では、輪ゴム部材３３は伸張されていくが、ポンプヘッドが戻りきる前には輪ゴム部材３３の弾性力が弾性部の弾性力よりも大きくなる為、設定押圧ストローク長Ｓを短くすることができる。輪ゴムは常に伸張された状態の為、ポンプヘッド１４を押圧して輪ゴム部材３３の収縮が可能になっても、輪ゴム部材３３は下方ゴム係り部３２と上方ゴム係り部３１との間に保持される。
【００１９】
図４（ａ），（ｂ）のポンプ容器によっても、輪ゴム部材３３の長さを調整することにより、例えば図４（ａ）に示すように、設定押圧ストローク長ｓを大きく確保すれば、例えば１回の吐出操作で２．５ｍＬの内容物を吐出可能とし、図４（ｂ）に示すように、設定押圧ストローク長ｓを小さくすることにより、例えば１回の吐出操作で１．０ｍＬの内容物を吐出できる状態に容易に変更することが可能になり、上記実施形態のポンプ容器１０と同様の作用効果が奏される。
【００２０】
なお、本発明は上記各実施形態に限定されることなく種々の変更が可能である。例えば、ポンプヘッドの押圧された位置から復元する高さを規制してポンプヘッドの設定押圧ストローク長を調整可能とするストローク調整手段は、上記各実施形態で使用したものの他、簡易な構成を有するその他の種々のストローク調整手段を採用することができる。例えば、弾性部を兼ねる蛇腹部材の突条を、螺旋状に配置して雄ネジ状の蛇腹部とすることなく、リング状の突条を積み重ねた形状の蛇腹部とし、且つポンプヘッドの周壁部の先端部内側面に係止突起を設けて、この係止突起を突条間の凹部に選択的に係止することにより、周壁部の下端と天板部との間の伸縮可能な蛇腹部の長さを調整して、設定押圧ストローク長を調整できるようにすることもできる。
【図面の簡単な説明】
【００２１】
【図１】（ａ）は本発明の好ましい一実施形態に係るポンプ容器の正面図、（ｂ）は要部を拡大して示す部分破断正面図である。
【図２】本発明の好ましい一実施形態に係るポンプ容器における設定押圧ストローク長の説明図である。
【図３】（ａ）は本発明の好ましい一実施形態に係るポンプ容器の設定押圧ストローク長を小さくした状態の正面図、（ｂ）は要部を拡大して示す部分破断正面図である。
【図４】（ａ）は本発明の他の実施形態に係るポンプ容器の設定押圧ストローク長を大きくした状態の正面図、（ｂ）は設定押圧ストローク長を小さくした状態の正面図である。
【符号の説明】
【００２２】
１０  ポンプ容器
１１，３０  容器本体
１１ａ  容器本体の口頸部
１２  ポンプキャップ
１３  ノズル
１４  ポンプヘッド
１５  キャップ部
１６  キャップ部の天板部
１７  円環状凸壁
１８  挿通孔
１９  ピストン
２０  弾性部
２１  ストローク調整手段
２２  蛇腹部材
２３  周壁部
２５  縦方向管路
２６  横方向管路
２７  蛇腹部材の基板部
２８  蛇腹部材の雄ネジ状の蛇腹部
３１  上方ゴム係り部
３２  下方ゴム係り部
３３  輪ゴム部材
Ｘ    蛇腹部材の軸方向
ｓ    設定押圧ストローク
【図１】
2008265776.tif 000003
【図２】
2008265776.tif 000004
【図３】
2008265776.tif 000005
【図４】
2008265776.tif 000006